(57)【要約】【課題】野菜等を収納する保冷容器において、収納した野菜等が横倒し状態になっても底部に溜まる水に接触する虞がなく、横倒し状態での収が可能で、形状や大きさに対する自由度もあり、収納時の作業性を大幅に向上できるようにする。【解決手段】上方に開口する容器本体１０と、蓋体２０とからなる発泡樹脂製の保冷容器において、容器本体１０の底部１１の上面１１ａに、平面六角形の多数の凹部１３をハニカム状に画するリブ状凸部１２を形成し、リブ状凸部１２により農産物を受けるように設け、さらにリブ状凸部１２に隣接する凹部１３，１３間を連通させる切欠溝１４を設ける。【選択図】図１
2011031939.tif 000002
【特許請求の範囲】
【請求項１】
上方に開口する容器本体と、該容器本体に対し被着自在な蓋体とからなる発泡樹脂製の保冷容器であって、
容器本体の底部上面に、平面六角形の多数の凹部をハニカム状に画するリブ状凸部が設けられ、該リブ状凸部により農産物を受けるように設けられてなることを特徴とする保冷容器。
【請求項２】
前記リブ状凸部には、隣接する凹部間を連通させる切欠溝が形成されてなる請求項１に記載の保冷容器。
【請求項３】
前記切欠溝がリブ状凸部による凹部深さの１／２〜２／３の深さである請求項２に記載の保冷容器。
【請求項４】
前記凹部における前記リブ状凸部による平行な対向辺部間の差し渡しが、凹部深さの２〜４倍である請求項３に記載の保冷容器。
【請求項５】
前記リブ状凸部の幅が５〜１５ｍｍ、高さが１０〜２０ｍｍであり、前記凹部における前記リブ状凸部による平行な対向辺部間の差し渡しが３０〜６０ｍｍである請求項１〜４のいずれか１項に記載の保冷容器。
【発明の詳細な説明】
【技術分野】
【０００１】
本発明は、主にブロッコリー等の野菜その他の農産物の輸送、保管等の物流に使用される発泡樹脂製の保冷容器に関するものである。
【背景技術】
【０００２】
ブロッコリー等の野菜その他の農産物の輸送、保管等の物流のための保冷容器として、上方に開口した平面矩形の容器本体と、その開口端部に嵌合被着される蓋体とからなる発泡スチロール等の発泡樹脂製の容器が使用されている。
【０００３】
例えば、ブロッコリー等の野菜の場合、収穫された野菜を容器本体に収納し、収納状態のままで所定の予冷（真空予冷や差圧予冷）を行った後、収納した野菜の上に氷（砕氷）を入れて氷詰めにし、この状態で蓋体を被着して、輸送等の物流に供する。容器内の氷は経時的に溶解して水になり、容器内の底部上に溜まることになるが、収納されている野菜が水に接触したままになると、水との接触部分から傷みが生じ易くなる。特に、上部の花蕾部分や葉の部分は、下部の茎部よりも傷み易いものであり、収納する野菜は、少なくとも上部の花蕾部分や葉部分が底部に溜まる水に接触しないようにするのが望ましい。そのため、容器内の底部上に野菜を立てて収納することが行われている。
【０００４】
ところで、ブロッコリーのように上部の花蕾部分が下部の茎部に比して大きく拡がった形の野菜である場合は、収納作業の際に手で押さえていないと転倒し易く、作業性に問題があることから、例えばブロッコリー等に使用する容器として、容器本体内の底部上面に、ブロッコリー等の茎部を側面より支える突起部を所要間隔に突設しておいて、ブロッコリー等の茎部を突起部間に挿入して立てた状態に保持するようにしたもの（特許文献１）が提案されている。
【０００５】
しかしながら、前記の容器の場合、前記突起部間の部分にブロッコリー等の野菜の茎部を挿入することになるため、不定形で大小のあるブロッコリー等に対する自由度が低く、形状や大きさ、茎部の太さ等をある程度選別して収納する必要がある上、前記突起部がかえって詰め入れの際の邪魔になる場合もある。しかも、仮に茎部を突起部間に無理やり押し込んだりすると、発泡樹脂よりなる突起部が折損したり破損することがあり、この結果、発泡樹脂の屑粉（発泡スチロール粉）がブロッコリー等の野菜に付着する虞がある。
【先行技術文献】
【特許文献】
【０００６】
【特許文献１】実開平４−２３６４４号公報
【発明の概要】
【発明が解決しようとする課題】
【０００７】
本発明は、上記の問題点を解消するためになしたものであり、主としてブロッコリー等の野菜その他の農産物の輸送、保管等の物流に使用する発泡樹脂製の保冷容器として、底部上面の形状をハニカム状にすることにより、収納した野菜が横倒し状態になっても底部に溜まる水に接触する虞がなく、ひいてはブロッコリー等の野菜を横倒し状態にして収納することが可能で、収納される野菜の形状や大きさに対する自由度もあり、収納時の作業性を大幅に向上できる保冷容器を提供するものである。
【課題を解決するための手段】
【０００８】
上記の課題を解決する本発明の保冷容器は、上方に開口する容器本体と、該容器本体に対し被着自在な蓋体とからなる発泡樹脂製の保冷容器であって、容器本体の底部上面に、平面六角形の多数の凹部をハニカム状に画するリブ状凸部が形成され、該リブ状凸部により農産物を受けるように設けられてなることを特徴とする。
【０００９】
この保冷容器は、野菜その他の各種農産物の出荷、輸送等に使用する。例えばブロッコリー等の野菜に使用する場合、収納対象の野菜を、容器本体内の底部上に立て姿勢又は横倒し状態にして収納し、その上に氷（砕氷）を入れて氷詰めにし、蓋体を被着して輸送等の物流に供する。この際、容器内の氷は経時的に溶解して水になり、容器内の底部上に溜まることになるが、本発明の保冷容器の場合は、底部上面は、平面六角形の多数の凹部を画するリブ状凸部が設けられハニカム状をなしているので、前記溶解水は前記ハニカム状の凹部内に収容される。一方、収納される野菜は、横倒し状態であっても、前記リブ状凸部により受支されて前記凹部内に入り込むことなく保持されることになり、前記凹部内に溜まる水と接触することがない。このため、ブロッコリー等の野菜を横倒し状態にして収納することが問題なく可能になる。
【００１０】
特に、前記底部上面の凹部が平面六角形をなすことで、該凹部の平行な対向辺部間の差し渡し（間隔）が、同じ平面積の四角形の凹部の場合よりも小さくなるため、氷の溶解水を溜めるのに必要な容積を確保しながら、前記差し渡しを小さくすることで、前記野菜を凹部に嵌り込ませないように効果的に受支することができる。
【００１１】
前記の保冷容器において、前記リブ状凸部には、隣接する凹部間を連通させる切欠溝が形成されてなるものが好ましい。これにより、前記平面六角形の凹部に流れ込んだ水が前記切欠溝を通じて各凹部に流れ込むことにより、凹部内に溜まる水量を平均化して少なく抑えることができ、リブ状凸部の上で横倒し状態になった野菜等の一部が凹部内に入り込んだ場合にも水に接触し難くなる。
【００１２】
特に、前記切欠溝が凸状リブによる凹部深さの１／２〜２／３の深さに設定されていると、各凹部に溜まる水量が前記切欠溝の深さ位置以上には溜まらないため、野菜等の水との接触防止の効果がさらに良好になされる。
【００１３】
また、前記凹部における前記リブ状凸部による平行な対向辺部間の差し渡しが凹部深さの２〜４倍であるものが、リブ状凸部の上に載置される野菜が凹部内に入り込まずに良好に保持されることになり、好ましい。
【００１４】
さらに、前記リブ状凸部の幅が５〜１５ｍｍ、高さが１０〜２０ｍｍであり、前記凹部における前記リブ状凸部による平行な対向辺部間の差し渡しが３０〜６０ｍｍであると、凹部において氷の溶解水を収容するのに必要な容積を確保しながら、横倒し状態で収納されるブロッコリー等の野菜を凹部に入りこませずに収納することができる。
【発明の効果】
【００１５】
上記したように本発明の保冷容器によれば、ブロッコリー等の野菜その他の農産物の輸送、保管等の物流に使用する発泡樹脂製の保冷容器として、底部上面の形状をハニカム状にしたことにより、収納した野菜等が横倒し状態になっても底部に溜まる水に接触する虞がなく、ひいてはブロッコリー等の野菜を横倒し状態にして収納することが可能で、収納される野菜の形状や大きさに対する自由度もあり、また余分な突起部を有さないために、形状や大きさ等を選択して収納する必要もなく、収納時の作業性を大幅に向上できる。
【図面の簡単な説明】
【００１６】
【図１】本発明の保冷容器の実施例を示す容器本体と蓋体の分離した斜視図である。
【図２】容器本体の平面図である。
【図３】前図のＡ−Ａ線での容器本体と蓋体の半部縦断正面図である。
【図４】図２のＢ−Ｂ線での容器本体と蓋体の半部縦断正面図である。
【図５】同上の容器本体の底部のハニカム形状の凹部を示す一部の拡大平面図である。
【図６】同上の拡大断面図である。
【図７】容器本体の凸条縁と蓋体の凹条溝との嵌合構造における空気抜き部分の嵌合前の一部の拡大断面図である。
【発明を実施するための形態】
【００１７】
次に本発明の実施の形態を図面に示す実施例に基づいて説明する。
【００１８】
この実施例の容器は、発泡ポリスチレン等の発泡樹脂を素材として成形された保冷容器であって、上方に開口する平面矩形の容器本体１０と、該容器本体１０に対し被着自在な蓋体２０とよりなる。
【００１９】
前記容器本体１０の底部１１の上面１１ａは、図のように全面にわたって、所定幅、所定高さのリブ状凸部１２が、平面六角形の多数の凹部１３をハニカム状に画するように配設されたハニカム構造をなしており、収納される野菜Ｂ等の農産物をリブ状凸部１２により受けるように設けられ、該農産物の上に入れる砕氷（図示せず）により生じる水を前記凹部１３に溜めることができるようになっている。
【００２０】
前記リブ状凸部１２には、各凹部１３，１３間を連通させる切欠溝１４が形成されており、凹部１３に溜まる水が前記切欠溝１４の底面を超えると、隣接する凹部１３に流れ込むことで、各凹部１３内には一定量以上の水量が溜まらないようになっており、各凹部１３に溜まる水量が平均化するようになっている。
【００２１】
前記ハニカム状の凹部１３の大きさは、収納対象の農産物の種類や大きさ、リブ状凸部１２の幅Ｗによっても異なるが、収納対象の農産物が野菜Ｂである場合に、該野菜Ｂが横倒し状態になっても、凹部１３内に入り込まないように設定され、通常、凹部１３における平行な対向両辺間の差し渡しＤが７０ｍｍ以下、好ましくは３０〜６０ｍｍの範囲に設定される。
【００２２】
また、前記凹部１３の深さ、つまり前記リブ状凸部１２の高さＨは、農産物の上に収納される砕氷により生じる水の量、前記凹部１３の前記差し渡しＤや容積等によって異なるが、砕氷により生じる水を前記切欠溝１４の底面より下方の容積内に収容できるように設定され、例えば前記差し渡しＤが３０〜６０ｍｍの場合、高さＨは１０〜２０ｍｍに設定される。
【００２３】
前記リブ状凸部１２の幅Ｗは、これにより画され前記凹部１３の大きさ等によって設定でき、例えば前記凹部１３の平行な対向両辺間の差し渡しＤが３０〜６０ｍｍの場合、前記幅は５〜１５ｍｍに設定され、ブロッコリー等の野菜Ｂを前記凹部１３に嵌り込ませずに横倒し状態にして収納できる範囲で適宜設定して実施できる。
【００２４】
前記切欠溝１４の深さＣは、リブ状凸部による凹部深さの１／２〜２／３の深さとするのが好ましく、この深さＣが小さいと、凹部１３に溜まる水量を平均化する効果が小さくなり、また前記深さＣが大きくなると、リブ状凸部１２が独立した突起に近くなって強度的に問題があるので、前記範囲が好ましい。
【００２５】
また、前記切欠溝１４の幅は、リブ状凸部１２の上に載る野菜Ｂ等の農産物が該切欠溝１４内に入り込まないように設定され、通常、２０ｍｍ以下、好ましくは１０ｍｍ前後に設定される。
【００２６】
図示する実施例の保冷容器において、容器本体１０の側壁上端部による開口端部１０ａに対する前記蓋体２０の嵌合による被着構造として、容器本体１０の開口端部１０ａと蓋体２０の周縁部２１の下面とに、全周にわたって連続して互いに嵌合する凸条縁１６と凹条溝２２による嵌合構造が設けられている。
【００２７】
すなわち、前記容器本体１０の開口端部１０ａには、外側の約半部が全周にわたって切欠されることにより切欠段部１６が形成され、該切欠段部１７より内側の約半部が前記凸状縁１６として形成されている。また、前記蓋体２０の周縁部２１の下面には、蓋体被着状態において前記凸条縁１６に嵌合する凹条溝２２が周方向に連続して形成されており、該凹条溝２２の外側壁部２３が前記切欠段部１７に嵌合し、また該凹条溝２２の内側壁部２４が前記凸条縁１６の内側に嵌合するようになっている。前記内側壁部２４は外側壁部２３より長く形成しておくこともできる。図中の符号１５ａは容器本体１０の短辺側の相対向する側壁、符号１５ｂは長辺側の側壁を示している。
【００２８】
図の場合、前記凸条縁１６の外側面１６ａが上端部ほど外側に張り出した傾斜面をなし、これに対応する前記凹条溝２２の外側壁部２３の内側面２３ａが、下端分ほど内側に張り出した傾斜面をなしており、前記凸条縁１６と凹条溝２２の嵌合時に、前記外側面１６ａと前記内側面２３ａとが弾力的に係合した状態になり、嵌合状態を安定性よく良好に保持できるようになっている。前記外側面１６ａと前記内側面２３ａとの係合構造としては、前記の傾斜面に変えて、凹凸形状を利用することもできる。
【００２９】
そして、前記外側壁部２３の内側面２３ａには、少なくとも１個所、好ましくは図のように相対向する短辺の個所に、上下方向（凹条溝の深さ方向）に通して空気逃がし用の切欠溝２５が形成されている。また、前記凸条縁１６の外側面１６ａの前記切欠溝２５と対応する個所の基部側の部分に、前記切欠溝２５内に嵌合しかつ前記切欠段部１７に連続した斜面を有する断面三角状の凸部１８が設けられており、前記凸条縁１６と前記凹条溝２２との嵌合状態において、蓋体２０の少々の浮き上がりに対しても殆ど隙間を生じないで通気性を確保できるように設けられている。
【００３０】
前記容器本体１０及び蓋体２０の構成材である発泡樹脂としては、スチレン改質ポリオレフィン系樹脂、ポリスチレン、ハイインパクトポリスチレン、スチレン−エチレン共重合体、スチレン−無水マレイン酸共重合体、スチレン−アクリロニトリル共重合体等のポリスチレン系樹脂、ポリエチレン、ポリプロピレン、エチレン−酢酸ビニル共重合体等のポリオレフィン系樹脂、ポリエチレンテレフタレート等のポリエステル系樹脂等の各種合成樹脂の発泡体を用いることができる。中でも、スチレン改質ポリオレフィン系樹脂のビーズ発泡体による成形体が好適に用いられる。スチレン改質ポリオレフィン系樹脂は、ポリオレフィン系樹脂粒子にスチレン系単量体を含浸重合させて得られるものであり、スチレン改質ポリオレフィン系樹脂の中でも、スチレン改質ポリエチレン樹脂が好ましく、例えば、スチレン成分の割合は４０〜９０重量％、好ましくは５０〜８５重量％、さらに好ましくは５５〜７５重量％のものが用いられる。また、前記発泡体の発泡倍率は１０〜７０倍が好ましい。
【００３１】
スチレン改質ポリオレフィン系樹脂のビーズ発泡体の成形品は、同じ発泡倍率のポリプロピレン系樹脂ビーズの成形品に比べて強度があり、また、深さが５００ｍｍを越える容器を成形した場合の収縮率が低く寸法精度もよい。さらに、スチレン系樹脂ビーズの発泡成形品に比べて擦れによる粉が出難い長所もある。
【００３２】
上記した実施例の保冷容器の使用状態について説明する。この保冷容器は、野菜その他の各種農産物の出荷、輸送等に使用する。例えばブロッコリー等の野菜Ｂに使用する場合、収納対象の野菜Ｂを容器本体１０内の底部１１上に収納し、その上に氷（砕氷）を入れて氷詰めにし、蓋体２０を被着して輸送等の物流に供する。この際、容器内の氷は経時的に溶解して水になり、容器本体１０内の底部１１上に溜まることになるが、本発明の保冷容器の場合は、前記底部１１の上面１１ａは、全面にわたって平面六角形の多数の凹部１３を画するリブ状凸部１２が設けられてハニカム状をなしているので、前記溶解水は前記ハニカム状の凹部１３内に収容される。一方、野菜Ｂは、立て姿勢または横倒し姿勢で前記底部１１上に収納されるが、立て姿勢で収納された野菜Ｂが仮に横倒し状態になっても、またを野菜Ｂを横倒し状態で収納しても、該野菜Ｂが前記リブ状凸部１２により受支され、特に花蕾部分等の上部が前記凹部１３内に入り込むことなく保持されることになり、前記凹部１３内に溜まる水と接触することがない。
【００３３】
特に、前記底部上面の凹部が平面六角形をなすことで、該凹部の平行な対向辺部間の差し渡しＤが、同じ平面積の四角形の凹部の場合よりも小さくなるため、氷の溶解水を溜めるのに必要な容積を確保しながら、前記差し渡しＤを小さくすることで、ブロッコリー等の野菜Ｂを凹部１３に嵌り込ませないように効果的に受支することができる。
【００３４】
しかも、前記リブ状凸部１２には、隣接する凹部１３，１３間を連通させる切欠溝１４が形成されているため、前記凹部１３に流れ込んだ水が前記切欠溝１４を通じて各凹部１３に流れ込むことにより、凹部１３内に溜まる水量を平均化して少なく抑えることができ、リブ状凸部１２の上で横倒し状態になる野菜Ｂの一部が凹部１３内に入り込んだ場合にも水に接触し難くなる。
【００３５】
そのため、花蕾部分等よりなる上部ｂ１が茎部等の下部ｂ２より拡がった形の例えばブロッコリー等の野菜Ｂを横倒し状態にして収納することが問題なく可能になり、収納される野菜のＢの形状や大きさに対する自由度もあり、また余分な突起部を有さないために、収納時の作業性を大幅に向上できる。
【産業上の利用可能性】
【００３６】
本発明の発泡樹脂製の容器は、ブロッコリー等の野菜の輸送、保管等の物流に好適に使用できるほか、各種の農産物の輸送用のコンテナとして好適に使用することもできる。
【符号の説明】
【００３７】
１０…容器本体、１０ａ…開口端部、１１…底部、１１ａ…上面、１２…リブ状凸部、１３…凹部、１４…切欠溝、１５ａ…短辺側の側壁、１５ｂ…長辺側の側壁、１６…凸状縁、１６ａ…外側面、１７…切欠段部、１８…断面三角状の凸部、２０…蓋体、２１…周縁部、２２…凹条溝、２３…外側壁部、２３ａ…外側壁部の内側面、２４…内側壁部、２５…切欠溝、Ｂ…野菜、ｂ１…上部、ｂ２…下部、Ｃ…切欠溝の深さ、Ｄ…凹部の対向両辺間の差し渡し、Ｈ…リブ状凸部の高さ、Ｗ…リブ状凸部の幅。
【図１】
2011031939.tif 000003
【図２】
2011031939.tif 000004
【図３】
2011031939.tif 000005
【図４】
2011031939.tif 000006
【図５】
2011031939.tif 000007
【図６】
2011031939.tif 000008
【図７】
2011031939.tif 000009